【事件の表示】
　特許第３１１４１１５号「ＦＰＣ用コネクタ」の請求項１に係る特許に対する特許異議の申立てについて、次のとおり決定する。
【結　論】
　特許第３１１４１１５号の請求項１に係る特許を維持する。
【理　由】
  　　　　
１．　本件は、特許第３１１４１１５号（特願平９−１６６８１７号）に関し、その特許請求の範囲の【請求項１】に係る発明につき、受けた特許の取消を請求して提起された特許異議申立事件に存する。
　　
２．　本件の手続きの経緯の概要は、以下のとおりである。
１）出願日：平成９年６月２４日
２）公報発行日：平成１２年１２月４日
３）設定登録日：平成１２年９月２９日
４）異議申立：平成１３年６月４日特許異議申立人坂本　聡より異議の申立
　　　
３．　本件の特許請求の範囲の【請求項１】に係る発明は、以下のとおりのものである。
　「【請求項１】　ベースインシュレータと、コンタクトと、ＦＰＣを前記コンタクトに接触させるスライドインシュレータと、前記スライドインシュレータが回転するときの中心となるフックを有する部材とから構成され、前記スライドインシュレータのフック受け部の中央に切り欠きを設け、前記ＦＰＣとの接続時、前記スライドインシュレータのフック受け部は、前記フックと前記ＦＰＣとの間に入り込み、前記フックと当接することを特徴とするＦＰＣ用コネクタ。」
　　
４．　これに対して、特許異議申立人は、証拠方法として、
（１）「特開平８−２７９３７８号公報」（甲第１号証：以下、「第１引用例」という。）、
（２）「特開昭６２−１５４５９０号公報」（甲第２号証：以下、「第２引用例」という。）、
（３）「特開平９−６３７１９号公報」（甲第３号証：以下、「第３引用例」という。）、
（４）「特開平９−６３７１８号公報」（甲第４号証：以下、「第４引用例」という。）、
を、それぞれ提出し、
　“本件特許請求の範囲の請求項１に係る発明は、第１引用例乃至第４引用例に記載された発明に基づいて当業者が容易に発明をすることができた程度のものであるから、特許法第２９条第２項の規定に該当し、特許法第１１３条の規定により取り消されるべきものである”旨、
主張する。
    　　
５．     ［引用例の記載］
１）　上記第１引用例には、以下の事項が、図面とともに記載されている。
イ）　「【０００９】
　　【発明の実施形態】
　以下図示実施形態に基づいて本発明を説明する。基板Ｂ上に固定される合成樹脂製のインシュレータ１０は、上面壁１７と下面壁１８を備えている。その基板Ｂ側の下面壁１８上には、多数の平行に整列したコンタクト挿入溝１１が形成され、このコンタクト挿入溝１１の上部に、ＦＰＣ／ＦＦＣとスライダを挿入する挿入開口１２が形成されている。各コンタクト挿入溝１１には、コンタクト２０が挿入されている。コンタクト２０は、図３に示すように、基板Ｂ上の端子に半田付けされる半田付け部２１と、コンタクト挿入溝１１内に延びてさらに挿入開口１２内に突出する接触弾性脚２２と、インシュレータ１０の上部の固定溝１９に挿入固定される固定部２３とを有している。接触弾性脚２２の先端には、挿入開口１２側に向けて接触凸部２２ａが形成されている。
　　　【００１０】
　インシュレータ１０の上面壁１７には、コンタクト２０の整列方向の両端部、つまり挿入開口１２への挿入方向の両側に位置させて、図６に示すように、半円柱状の左右一対の回動支点突起１３が形成されている。
　　　【００１１】
　このインシュレータ１０の挿入開口１２に挿入されるスライダ３０は、長手方向の両端部に一対の腕部３１と、この一対の腕部３１と一体で挿入開口１２内に挿脱される挿入押圧部（接触圧力付与部）３３とを備えている。一対の腕部３１には、インシュレータ１０の回動支点突起１３に対応する半円筒面からなる回動支点凹部３２が形成されている。
　　　【００１２】
　このスライダ３０は、この回動支点凹部３２を回動支点突起１３に接触させた状態で、これら回動支点突起１３と回動支点凹部３２の円筒面の中心Ｏを中心に回動操作可能である。挿入押圧部３３は、挿入開口１２への挿入状態では、前もって挿入開口１２内に挿入されるＦＰＣ／ＦＦＣ４０をコンタクト２０側に押圧し、接触弾性脚２２を撓ませながら、ＦＰＣ／ＦＦＣ４０の各端子を接触弾性脚２２の接触凸部２２ａに接触させる作用をする。」
　（公報第３頁段落番号【０００９】〜【００１２】）
ロ）　「【００１９】
　　【発明の効果】
　以上のように本発明によれば、回動タイプのスライダを有するＦＰＣ／ＦＦＣ用コネクタ装置において、スライダの回動操作を円滑に行なうことができ、またスライダがコンタクトの弾性反力を受けても、外れるおそれなくインシュレータの挿入開口内に挿入することができる。」
　（公報第４頁段落番号【００１９】）
　　
２）　上記第２引用例には、以下の事項が、図面とともに記載されている。
イ）　「上記係合部は上壁部の弧状部と、押さえ板部の湾曲部とで構成されていることを特徴とする特許請求の範囲第１項に記載の無挿抜力コネクタ」（第１頁「特許請求の範囲の請求項（２））
ロ）　「押えカバー８は第１図から理解出来るように、一対の側板部１１と、側板部を連結する押え板部１２とから成る、プラスチック材で一体に成型された平面図形がほぼコの字形の部材である。押え板部１２はフレキシブルプリント基板を押圧する押えカバー８の領域を意味し、従ってその幅は絶縁ハウジング４の一対の側壁部の内側面に嵌合する幅寸法を持つ。押え板部１２の断面形状は第４図に示された通りであるが、以下に構造の細部について説明する。第４図を参照すると、押え板部１２の後端部上面には弧状に抉り取られた凹面の湾曲部４３が押え板部１２の幅全体にわたつて形成されている。これは、第４図、第６図に示されたように、絶縁ハウジング４の上壁部２２の前縁下部に設けられた弧状部４２と係合して係合部を構成する。」（第３頁下段左欄第９行〜同段右欄４行目）
ハ）　「耳部９の反対側、即ち、側板部１１の後端部の内側には、絶縁ハウジング４の台状部１４の周囲を広く取り囲む一対の窪み３２（第３図に点線で示されている）が設けられている。この窪み３２と台状部１４との組み合せは、絶縁ハウジング４から押えカバー８が容易に外れない押えカバー脱落防止手段を与えており、押え坂部１２の湾曲部４３が弧状部４２に沿つて滑動して、押えカバー８の角度又は位置が自由に変更出来るような構造を持つ。また側板部１１の内側に側壁部２１の小突起部１５を取り囲んで凹部３３（第３図）が設けられており突起部１５と協働して、側板部１１を下方へ押し下げようとする無理な外力に対抗する保持手段である。」（公報第３頁下段右欄第２０行〜第４頁上段左欄第１３行目）
　　　　
３）　同じく上記第３引用例には、以下の事項が図面とともに記載されている。
イ）　「【００１２】
　前記コンタクトピン２は導電性金属薄板を型抜きして図２（ａ）に示される二股状に製作されており、実装されたプリント基板１６の回路面に半田付けされる端子部１２と、ハウジング１内に挿入係止される装着側ビーム１３と、それと所定間隔離れて対向するように形成された接点側ビーム１４とから構成され、装着側ビーム１３の根元側内面にはハウジング１への圧入時にハウジング１に食込む食込み突子１５が内側（フレキシブル導体３側）に突設され、接点側ビーム１４の先端部内面にはフレキシブル導体３の導体線路に接触する先鋭な接点４が突設されてなる。」（段落番号【００１２】）
ロ）　「【００１６】
　　【発明の実施の形態２】
　スライダー６の押圧部５の形成位置は図１とは異なる位置であってもよい。その一例として図３に示すものは図１（ａ）に示すものとは逆に、押圧部５をスライダー６の幅方向両端にだけ形成され、その中間には形成されていないものである。この場合、ハウジング１の保持部７はハウジング１の上板２１の内面のうちスライダー６の押圧部５の無い箇所で且つコンタクトピン２と対応する箇所に形成されている。」（段落番号【００１６】）
　
４）　最後に、上記第４引用例には、以下の事項が図面とともに記載されいる。
イ）　「【００１２】
　　【発明の実施の形態１】
　本発明のスライダー付コネクタの第１の実施の形態を図１に基づいて詳細に説明する。本発明のスライダー付コネクタは例えば図１に示すようにリジッドなプリント基板１６の上に実装されて、ＦＦＣ、ＦＰＣ、ＣＩＣ等の可撓性のあるフレキシブル導体を挟着保持するものである。図１に示すスライダー付コネクタ２１は樹脂製のハウジング１と、ハウジング１内に装着されたコンタクトピン２と、ハウジング１に押込み・引出し可能なる様に取付けられたスライダー４とから構成されている。」（段落番号【００１２】）
ロ）　「【００１６】
　　【発明の実施の形態２】
　本発明のスライダー付コネクタの第２の実施の形態を図２〜図４に基づいて詳細に説明する。これはフレキシブル導体３を仮保持する仮保持部６をハウジング１に形成するのではなくスライダー４に形成したものである。図２の仮保持部６は図３、４に示す様にスライダー４の先端部の長手方向両端における内面（コンタクトピン２の接点５と対向する面）から内側に突設されており、その形状は矩形とし、しかも夫々の仮保持部６の横幅はコンタクトピン２の２本分（２極分）としてある。この仮保持部６の突出寸法はスライダー４がハウジング１から引出されてスライダー４の先端側が外側に傾斜した状態（図２（ａ）、（ｂ）の状態）で、仮保持部６の突出先端部とコンタクト２の接点５の突出先端部との間の間隔がフレキシブル導体３の厚さよりもやや狭くなるように選定して、コンタクトピン２の接点５と仮保持部６との間に差込まれるフレキシブル導体３がその接点５と仮保持部６とにより軽い接圧で挟まれて仮保持されるようにしてある。仮保持部６の横幅はコンタクトピン２の１本分（１極分）或は３極分といったように任意に選択できる。この場合、両端２極（計４極）による仮保持のため、部品寸法のバラツキにより仮保持部６の突出先端部とコンタクト２の接点５の突出先端部との間の間隔が変化しても、仮保持部６があるのは４極だけであるため、そのバラツキによる挿入力／保持力の変化は少ない。ちなみに、仮保持部６がコンタクトピンの数と同数（例えば２０極）である場合と比較すると、バラツキによる挿入力／保持力の変化は４／２０、即ち１／５となる。また、仮保持部６の数が一定である本発明では、コンタクトピンの数（極数）の多少に拘らず挿入力／保持力は一定になる。」
（段落番号【００１６】）
　　　　　
６．　［対比・判断］
　本件特許請求の範囲の【請求項１】に係る発明（以下、「本件発明」という。）と、上記第１引用例に記載された発明とを対比検討するに、
第１引用例に記載された「インシュレータ１０」、「スライダ３０」、「ＦＰＣ４０」及び「コンタクト２０」は、その構成と機能に徴し、本件発明の「ベースインシュレータ」、「スライドインシュレータ」、「ＦＰＣ」及び「コンタクト」にそれぞれ、該当するものと捉えられ、これ等を備える「ＦＰＣコネクタ」（第１図〜第３図図示のインシュレータ挿入開口にＦＰＣを挿入する装置）が、まさに本件発明にいう「ＦＰＣ用コネクタ」に当たるものである。
　したがって、第１引用例に記載された発明から、本件発明の構成要件との対応において、技術的構成要素を抽出すると、以下のとおりである。
　「ベースインシュレータと、コンタクトと、ＦＰＣを前記コンタクトに接触させるスライドインシュレータと、スライドインシュレータが回転するときの中心となる部材とから構成されるＦＰＣ用コネクタ。」
  したがって、斯かる包括的な技術概念においてのみ、両者が符合するものと捉えられる。
　そこで、第１引用例に記載されたＦＰＣコネクタと、第１引用例に記載のＦＰＣコネクタとを比較すると、
イ）．　本件発明は、「スライドインシュレータが回転するときの中心となる『フックを有する部材』」を備えるのに対して、
　第１引用例に記載の発明においては、斯かる構成部分を欠いている点、
ロ）．　本件発明は、「スライドインシュレータの『フック受け部の中央に切り欠きを設ける』」ものであるのに対して、
　第１引用例に記載された発明は、斯かる構成部分を欠如している点、
ハ）．　本件発明は、「ＦＰＣとの接続時、前記スライドインシュレータのフック受け部は、前記フックと前記ＦＰＣとの間に入り込み、前記フックと当接する」ものであるのに対して、
　第１引用例に記載された発明においては、斯かる技術事項を実現していないものである点、
において、それぞれ、相違するものである。
　　　
７．　［相違点の判断］
 　そこで、これらの相違点を、他の引用例に記載の発明を以て埋め合わせすることができるか否かを分析的に検討する。
１）　上記第２引用例に記載された発明は、
　「ベースインシュレータ（第２引用例の「絶縁ハウジング４」が、これに相当。以下同じ。）と、コンタクト（「ばねコンタクト５」）と、ＦＰＣ（「フレキシブルプリント基板２」）を前記コンタクトに接触させるスライドインシュレータ（「押さえカバー８を擁する押さえ板部１２」）と、前記スライドインシュレータが回転するときの中心となる部材（「上壁部の弧状部４２」）とから構成され、前記スライドインシュレータの押圧によって、コンタクトにＦＰＣを押圧接触せしめるＦＰＣ用コネクタ（「無挿抜力コネクタ」）」であるものの、　第２引用例に記載のスライドインシュレータは、上壁部の弧状部４２をヒンジ軸として、該スライドインシュレータの湾曲部４３が円滑に揺動する態様のものいわば弧状部４２を軸とするピボット・ヒンジの態様で回動を実現するものであって、フックとフック受けで回動するものには存しないというべきである。
　したがって、抑も、第２引用例に記載の発明には、
「フックを有する部材」も「フック受け部」もなく、それ故、「フック受け部の中央に切り欠きを設け、」た点の構成も亦あり得ないところ、
「ＦＰＣとの接続時、前記スライドインシュレータのフック受け部は、前記フックと前記ＦＰＣとの間に入り込み、前記フックと当接する」という技術事項を実現するものではない。
　故に、上記１〜３の相違点は、第２引用例に記載された発明を以ては補充することが出来ない。
２）　次ぎに、上記第３引用例に記載された発明につき言及するに、
第３引用例に記載された発明は、
　「ベースインシュレータ（第３引用例に記載の「ハウジング１」が、相当。以下同じ。）と、コンタクト（「コンタクトピン２」）と、ＦＰＣ（「フレキシブル導体３」）を前記コンタクトに接触させるスライドインシュレータ（「スライダー６」）とから構成され、スライダーを動かしてＦＰＣを接触させるＦＰＣ用コネクタ（「スライダー付きコネクタ」）」でるものの、
　該スライドインシュレーターは、所望の角度を以て中心を回転するという態様のものではなく、文字通りスライドするものと捉えられる。
　したがって、第３引用例に記載の発明においては、スライドインシュレータが回転するときの回転中心となる部材は、存在しないと解するのが相当である。
 勿論、本件発明が構成要件とする、「フックを有する部材」も「フック受け部」もなく、しかる故、「フック受け部の中央に切り欠きを設け、」た点の構成も亦あり得ないところ、「ＦＰＣとの接続時、前記スライドインシュレータのフック受け部は、前記フックと前記ＦＰＣとの間に入り込み、前記フックと当接する」という技術事項を実現する限りでないことは明らかである。
　それ故、上記１〜３の相違点は、第３引用例に記載された発明を以てしては補充することが出来ない。
３）　最後に、第４引用例に記載された発明につき、追究するに、
　第４引用例に記載の発明は、殆ど第３引用例に記載の発明と同旨の構造のものであり、第３引用例に記載の発明につき審案した技術的評価は悉く第４引用例に記載の発明についても、当てはまるものといってしかるべきである（第３、４図に開示された仮保持部６，６は、抑も、本引用例の発明は、「フックを有する部材」、「スライドインシュレータのフック受け部」、「受け部の中央に切り欠きを設け、」を具えないから、技術的前提を欠き、上記相違点の欠缺を埋める原因力とならない。）。
　 それ故、上記１〜３の相違点を、上記第４引用例に記載された発明を以て補充することは出来ないものである。
　　
８．　結び
　以上のとおりであるから、本件発明に係る発明につき受けた特許を、特許異議申立人の提出した証拠並びに主張する理由をもって、取り消すことはできない。
　なお、他に、本件発明についての特許を取り消すべき理由を発見しない。
  よって、結論のとおり決定する。
【異議決定日】
平成１３年１０月１１日（２００１．１０．１１）